(57)【特許請求の範囲】
【請求項１】
冷媒と室内空気との熱交換を行う室内機と，複数の被調和室に設けられて天井裏や床下に配設されたダクトにより前記室内機と連結された吹出チャンバーと，天井裏に設けられて室内空気を換気すると共に当該空気の熱回収を行う換気ユニットと，該換気ユニットの保守点検を行う際に開閉される保守点検用窓とを有してなる空気調和システムにおいて，
前記保守点検用窓より適宜小さく形成されて，室内空気を換気するファンと，
換気する空気の熱回収を行う熱回収器と，
内部が空気流路をなして，前記ファンより適宜小さいスペーサと，
前記ファン，スペーサ及び熱回収器をこの順で収納し，かつ，前記スペーサの収納位置と対応する位置に設けられた前記ファンより適宜大きい蓋であって，前記スペーサを引出すことにより前記ファンが出入可能になる蓋を備えると共に，当該蓋の一部に前記ファンを駆動するための電装装置用の蓋を別途備えた筐体とを有することを特徴とする空気調和システム。
【請求項２】
前記ファン及び熱回収器が，断熱材により覆われてユニット化されて，前記筐体に固着されることなく収納されると共に，前記スペーサが断熱材により形成されてなることを特徴とする請求項１記載の空気調和システム。
【請求項３】
前記スペーサが楔状に形成されて，その太い部分が前記ファンが出入可能になる蓋の位置になるように装着されてなることを特徴とする請求項１又は２記載の空気調和システム。
【請求項４】
前記蓋が前記筐体に複数のネジによりネジ止めされ，かつ，当該ネジが同一方向にネジ止めされて前記保守点検用窓から取外しが可能になっていることを特徴とする請求項１ないし３いずれか１項記載の空気調和システム。
【発明の詳細な説明】
【０００１】
【発明の属する技術分野】
本発明は，天井裏に設けられて室内空気を換気すると共に当該空気の熱回収を行う換気ユニットの保守点検が容易に行えるようにした空気調和システムに関する。
【０００２】
【従来の技術】
従来，複数の部屋を冷暖房するには，各部屋に対応して空気調和機を設けることが一般的であるが，これでは必要とする空気調和機の台数が多くなり不経済である。
【０００３】
そこで，各部屋に室内機を設けて，当該室内機に１台の室外機から冷媒を供給することにより，空気調和を行うマルチ式空気調和機が市場に提供され始めている。
【０００４】
しかし，このマルチ方式の空気調和機でも，室内機は被調和室と同じ台数が必要となると共に，被調和室の数が多い場合には冷媒配管の総配管距離が長くなるため冷媒循環を行うのに能力の大きい室外機を使用する必要があり，また複雑な冷媒配管経路となって，施工性及びメンテナンス性に欠ける問題がある。
【０００５】
このような観点から，本願出願人は特願平９−６１８において図５に示すような構成の空気調和機を提案した。
【０００６】
当該空気調和機は，冷媒を圧縮する図示しない圧縮機等を備えて室外に配設される室外機２０ａ，２０ｂ，天井裏や階段下等に配設されて冷媒と室内空気とを熱交換する室内機１０ａ，１０ｂ，各被調和室に設けられて調和された空気を当該被調和室に吹出す吹出チャンバー６０ａ，６０ｂ，該室内機１０ａ，１０ｂで調和された空気を吹出チャンバー６０ａ，６０ｂに導くダクト１００ａ，１００ｂ，室内の換気を行うと共に当該換気用空気の熱を回収する図示しないファン等を備えた換気ユニット３１等を有している。
【０００７】
【発明が解決しようとする課題】
しかしながら，換気ユニット３１は，浴室やトイレ等の狭い部屋の天井裏に配設されるため，当該換気ユニット３１の保守点検及び修理を行うための作業スペースを確保するのが困難となる問題があった。
【０００８】
また，ファン等はネジ等により換気ユニット３１の筐体にネジ止めされているので，当該ファンを交換する際にはネジを取外さなければならず，上述した狭い作業スペースでは作業が困難になる問題がある。
【０００９】
そこで，本発明は，狭い作業スペースでも容易に換気ユニットの保守点検等が行えるようにした空気調和システムを提供することを目的とする。
【００１０】
【課題を解決するための手段】
上記課題を解決するために，請求項１にかかる発明は，冷媒と室内空気との熱交換を行う室内機と，複数の被調和室に設けられて天井裏や床下に配設されたダクトにより室内機と連結された吹出チャンバーと，天井裏に設けられて室内空気を換気すると共に当該空気の熱回収を行う換気ユニットと，該換気ユニットの保守点検を行う際に開閉される保守点検用窓とを有してなる空気調和システムにおいて，保守点検用窓より適宜小さく形成されて，室内空気を換気するファンと，換気する空気の熱回収を行う熱回収器と，内部が空気流路をなしてファンより適宜小さいスペーサと，ファン，スペーサ及び熱回収器をこの順で収納し，かつ，スペーサの収納位置と対応する位置に設けられたファンより適宜大きい蓋であって，スペーサを引出すことによりファンが出入可能になる蓋を備えると共に，当該蓋の一部にファンを駆動するための電装装置用の蓋を別途備えた筐体とを有して，狭い作業スペースでも容易に換気ユニットの保守点検等が行えるようにしたことを特徴とする。
【００１１】
請求項２にかかる発明は，ファン及び熱回収器が，断熱材により覆われてユニット化されて筐体に固着されることなく収納されると共に，スペーサが断熱材により形成されて，効率的に熱回収が行えるようにすると共に，各部材の扱を容易にしたことを特徴とする。
【００１２】
請求項３にかかる発明は，スペーサが楔状に形成されて，その太い部分がファンが出入可能になる蓋の位置になるように装着されて，当該スペーサの出入れを容易にすると共に，挿着時にはスペーサとファン及び熱回収器とが密接して空気の漏れが発生しないようにしたことを特徴とする。
【００１３】
請求項４にかかる発明は，蓋が筐体に複数のネジによりネジ止めされ，かつ，当該ネジが同一方向にネジ止めされて，当該ネジを保守点検用窓から容易に取外しができるようにしたことを特徴とする。
【００１４】
【発明の実施の形態】
本発明の実施の形態を図を参照して説明する。なお，従来と同一構成に関しては同一符号を用いて説明を適宜省略する。
【００１５】
図１は本発明にかかる空気調和システムを家屋に設置した時の概念図で，１階用の空気調和機と２階用の空気調和機とからなり，これらの構成は後述する吸込チャンバーの構成が相違している以外は同じである。
【００１６】
各空気調和機は，冷媒を圧縮する図示しない圧縮機等を備えた室外機２０ａ，２０ｂ，室内空気と冷媒とを熱交換させる室内機１０ａ，１０ｂ，居室等の被調和室に設けられて調和された空気を当該被調和室に吹出す際の吹出口をなす吹出チャンバー６０ａ，６０ｂ，室内機１０ａ，１０ｂからの調和された空気を各被調和室に分配する分岐チャンバー５０ａ，５０ｂ，室内機１０ａ，１０ｂ，分岐チャンバー５０ａ，５０ｂ及び吹出チャンバー６０ａ，６０ｂ等を連結して空気の流路を形成するダクト１００ａ，１００ｂ，室内の換気を行うと共に当該換気用空気の熱を回収する換気ユニット３０等により構成されている。
【００１７】
１階用の空気調和機における室内機１０ａは，階段下のような閉空間内に配設されて，当該閉空間４０ａが吸込チャンバーとして作用している。
【００１８】
これにより，吸込チャンバーを別途設ける必要が無くなるので，製造コストを安価にすることが可能になる。
【００１９】
なお，本実施の形態においては，階段下の閉空間４０ａ及び吸込チャンバー４０ｂに外気と室内空気とが冷房時及び暖房時を問わず一定比で流入する構成となっているが，当該比率を変える場合には，これらにダンパー装置等を設ければよい。
【００２０】
換気ユニット３０の構成を図２及び図３を参照して説明する。図２（ａ）は換気ユニット３０の側面図を示し，図２（ｂ）はその下面図を示している。また図３は断面図を示している。
【００２１】
換気ユニット３０は，換気空気と冷媒とが熱交換する熱回収器３３，トイレ等の空気を吸引して熱回収器３３を通過させながら排気するファン３４，熱回収器３３及びファン３４の間に挟まれた楔状のスペーサ３５等を有して，筐体３６に収納されている。
【００２２】
なお，熱回収器３３及びファン３４は発泡スチロールのような断熱部材により覆われてユニット化されており，またスペーサ３５も発泡スチロールのような断熱部材により形成された中空の枠体で内部を換気する空気が通過できるようになっている。
【００２３】
筐体３６にはファン３４より少し大きめの保守点検用の蓋３７ａ及び当該ファン３４を駆動するための電装装置（不図示）用の蓋３７ｂがネジ止めされ，保守点検用の蓋３７ａの両側にはメクラ蓋３８ａ，３８ｂが設けられている。
【００２４】
これら蓋３７ａ，３７ｂを止めるネジ３９は，当該蓋３７ａ，３７ｂに対して全て垂直方向となっている。
【００２５】
そして，筐体３６の下流には排気ダクト７０が連結され，上流側に熱回収器３３を循環する冷媒の出入口が設けられている。
【００２６】
なお，当該排気ダクト７０の排気トップ７１及び外気取入口８０には，図示しない防虫ネット等が被せてあり，室内に虫等が侵入しないようになっている。
【００２７】
次に上記構成において，換気ユニット３０の詳細な構成を保守点検手順を図４を参照しながら説明する。
【００２８】
熱回収器３３は，可動部がなく故障する場合はほとんどないが，ファン３４及び電装装置は当該熱回収器３３に比べて圧倒的に故障しやすい。このため，換気ユニット３０の保守点検対象は，主にファン３４及び電装装置となる。そこで，以下の説明では，ファン３４を保守点検する場合を例に説明する。
【００２９】
換気ユニット３０は，蓋３７ａ，３７ｂが天井側になるように天井裏に配設され，当該蓋３７ａ，３７ｂに対応した天井には，保守点検窓Ｍが設けられている。当該保守点検窓Ｍの大きさは，保守点検用の蓋３７ａより適宜大きくなっている（図４（ａ）参照）。
【００３０】
このような状態で換気ユニット３０を保守点検するときは，先ず保守点検窓Ｍを開ける。これにより保守点検用の蓋３７ａ及び電装装置用蓋３７ｂが現れる。
【００３１】
保守点検者は，作業目的により保守点検用の蓋３７ａや電装装置用蓋３７ｂを開けるが，これらの蓋３７ａ，３７ｂを固定しているネジ３９は全て同一方向（天井から換気ユニット３０に向う方向）なので簡単に当該ネジ３９を取外すことが可能になっている。図４（ａ）はこのようにして蓋３７ａ，３７ｂを取外した状態を示す側面図である。
【００３２】
ファン３４を交換するときは，図４（ｂ）に示すように，保守点検用の蓋３７ａを開けてスペーサ３５を引出す。スペーサ３５は楔状に形成され，太い方が保守点検用の蓋３７ａ側に位置しているので容易に引抜くことができる。
【００３３】
そして，図４（ｃ）に示すようにファン３４を熱回収器３３の方向に横移動させる。
【００３４】
これにより，ファン３４の全体は左右のメクラ蓋３８ａ，３８ｂの間に現れるので，図４（ｄ）に示すように当該ファン３４を下方に引出して取外し，保守点検又は交換を行う。
【００３５】
また，ファン３４を元に戻す場合には，上述した手順を逆に行う。その際スペーサ３５が楔状になっているので，当該スペーサ３５の挿入が容易であると共に，熱回収器３３やファン３４に密接するので，換気する空気が漏れるようなことがなくなる。
【００３６】
【発明の効果】
以上説明したように，請求項１にかかる発明によれば，換気ユニットをファン，スペーサ，熱回収器及びこれらを収納し，かつ，スペーサの収納位置と対応する位置にファンより適宜大きい蓋を備えると共に，当該蓋の一部にファンを駆動するための電装装置用の蓋を別途備えた筐体，天井に設けた保守点検用窓により構成したので，狭い作業スペースでも容易に換気ユニットの保守点検等が行えるようになる。
【００３７】
請求項２にかかる発明は，ファン及び熱回収器を断熱材により覆い，スペーサが断熱材により形成して，これらをユニット化したので，筐体に固着する必要がなくなって扱が容易になり，また効率的に熱回収が行えるようになる。
【００３８】
請求項３にかかる発明は，スペーサを楔状に形成し，その太い部分がファンが出入可能になる蓋の位置になるように装着したので，当該スペーサの出入れが容易に行えると共に挿着時にはスペーサとファン及び熱回収器とが密接して空気の漏れが発生しないようになる。
【００３９】
請求項４にかかる発明は，蓋を複数のネジにより筐体にネジ止し，かつ，当該ネジを同一方向でネジ止めするようにしたので，保守点検用窓から容易にネジの取外しが簡単に行えるようになって保守点検が容易になる。
【図面の簡単な説明】
【図１】本発明の実施の形態の説明に適用される空気調和システムの構成を示す図である。
【図２】換気ユニットの外観図である。
【図３】換気ユニットの断面図である。
【図４】換気ユニットにおけるファンの取出し手順を示す図である。
【図５】従来の技術の説明に適用される空気調和システムの構成図である。
【符号の説明】
１０ａ，１０ｂ  室内機
２０ａ，２０ｂ  室外機
３０  換気ユニット
３３  熱回収器
３４  ファン
３５  スペーサ
３６  筐体
３７ａ  保守点検用の蓋
３７ｂ  電装装置用の蓋
３８ａ，３８ｂ  メクラ蓋
３９  ネジ
５０ａ，５０ｂ  分岐チャンバー
６０ａ，６０ｂ  吹出チャンバー
Ｍ  保守点検用窓
【図１】
0003744684.tif 000002
【図２】
0003744684.tif 000003
【図３】
0003744684.tif 000004
【図４】
0003744684.tif 000005
【図５】
0003744684.tif 000006